(57)【特許請求の範囲】
【請求項１】
植物を保持する概略矩形板状の複数の栽培用プレートを列状に配置して植物を栽培する植物栽培装置であって、
列方向の先端側に位置する栽培用プレートに一端が接続されて、前記列方向に沿って基端側に延びる紐状体を有し、
前記複数の栽培用プレートが前記列方向に沿って基端側に移動可能に構成されており、
前記紐状体が基端側に引き寄せられることにより、前記複数の栽培用プレートが前記列方向に沿って基端側に移動し、
前記紐状体が、列方向に隣り合う２枚の栽培用プレートの連接縁部の浮き上がりを防止する押さえ部を有することを特徴とする植物栽培装置。
【請求項２】
前記列方向の先端側に位置する栽培用プレートの先端側縁部に着脱可能に装着される装着部材を有し、
前記紐状体の一端が前記装着部材に接続されている請求項１記載の植物栽培装置。
【請求項３】
前記列状に配置された複数の栽培用プレートからなる栽培用プレート列を、当該列方向と直交する幅方向に２列以上有し、
前記装着部材が、前記幅方向に並ぶ２以上の栽培用プレートに跨る長さを有し、前記２列以上の栽培用プレート列における列方向の先端側に位置する栽培用プレートの先端側縁部に装着されるものである請求項２記載の植物栽培装置。
【請求項４】
前記紐状体が、前記複数の栽培用プレートの裏面側に配置されており、
前記押さえ部が、前記隣り合う２枚の栽培用プレートの連接縁部表面側に跨るように設けられたブリッジ体に、前記隣り合う２枚の栽培用プレートの連接縁部において前記紐状体を接続することにより構成されている請求項１乃至３のいずれかに記載の植物栽培装置。
【請求項５】
前記複数の栽培用プレートが、列方向に延びるレール部材上に載置されている請求項１乃至４のいずれかに記載の植物栽培装置。
【請求項６】
前記複数の栽培用プレートが、養液に浮いて支持されている請求項１乃至４のいずれかに記載の植物栽培装置。
【請求項７】
植物を保持する概略矩形板状の複数の栽培用プレートを列状に配置し、これによって栽培した植物を収穫する植物収穫方法であって、
列方向の先端側に位置する栽培用プレートに一端を固定して、前記列方向に沿って基端側に紐状体が延ばされており、
前記紐状体を基端側に引き寄せることにより、前記複数の栽培用プレートを前記列方向に沿って基端側に移動させて、
列方向に隣り合う２枚の栽培用プレートの連接縁部の浮き上がりを、前記紐状体に設けられた押さえ部が防止することを特徴とする植物収穫方法。
【請求項８】
植物を保持する概略矩形板状の複数の栽培用プレートを列状に配置して植物を栽培する植物栽培方法であって、
植物定植工程において、１つの栽培用プレートに紐状体の一端を接続するとともに、前記紐状体に設けられた押さえ部によって列方向に隣り合う２枚の栽培用プレートの連接縁部の浮き上がりを防止しながら、当該栽培用プレートを先端側に押し出して次々と複数の栽培用プレートを列状に配置するとともに、
植物収穫工程において、基端側の栽培用プレートを取り外して前記紐状体を基端側に引き寄せる作業を繰り返すことを特徴とする植物栽培方法。
【発明の詳細な説明】
【技術分野】
【０００１】
本発明は、作業性に優れた植物栽培装置及び植物栽培方法に関する。
【背景技術】
【０００２】
従来の植物栽培装置としては、特許文献１に示すように、複数段の栽培棚を有するものがあり、この栽培棚上には、養液を貯留する貯留槽が設けられ、この貯留槽には複数の栽培用プレートが列状に配置されている。そして貯留槽と栽培用プレートとの間にはレール部材が設けられており、作業者は移動せずに、栽培用プレートを次から次に貯留槽上に載置させて送り出すことによって栽培用プレートを設置できるように構成されている。
【０００３】
しかしながら、貯留槽の上部に配置された栽培用プレートを取り外す場合又は栽培された植物を収穫する場合には、作業者が取り外す栽培用プレートの位置まで移動して取り外す又は収穫する必要があり、栽培用プレートの数が増えれば増えるほど、取り外し作業又は収穫作業に手間と労力が必要となってしまう。
【先行技術文献】
【特許文献】
【０００４】
【特許文献１】特開２００６−２６２７５０号公報
【発明の概要】
【発明が解決しようとする課題】
【０００５】
そこで本発明は、上記問題点を解決すべくなされたものであり、列状に配置した栽培用プレートの取り外し作業及び植物の収穫作業の作業性を向上させることをその主たる所期課題とするものである。
【０００６】
すなわち本発明に係る植物栽培装置は、植物を保持する概略矩形板状の複数の栽培用プレートを列状に配置して植物を栽培する植物栽培装置であって、列方向の先端側に位置する栽培用プレートに一端が接続されて、前記列方向に沿って基端側に延びる紐状体を有し、前記複数の栽培用プレートが前記列方向に沿って基端側に移動可能に構成されており、前記紐状体が基端側に引き寄せられることにより、前記複数の栽培用プレートが前記列方向に沿って基端側に移動することを特徴とする。
【０００７】
このようなものであれば、基端側の作業者が、紐状体を基端側に引き寄せることにより、栽培用プレートを順次基端側へ移動させることができるため、栽培した植物を一箇所で回収することが可能となる。その結果、作業効率を向上させることができる。また、栽培用プレートを上下複数段に配置した場合であっても、高所作業を安全に実施することができる。さらに、複数列の栽培用プレートを配置する場合には、各栽培用プレートを直接操作するための作業スペースが必要になるが、本発明では基端側に引き寄せることから前記作業スペースを不要にして各列を互いに密に並べることができる。これにより限られた栽培用スペースを有効活用でき多量の植物を栽培することができる。その上、引き寄せる際に植物の根の移動により当該植物が水耕されている養液槽の掃除もできる。
【０００８】
前記列方向の先端側に位置する栽培用プレートの先端側縁部に着脱可能に装着される装着部材を有し、前記紐状体の一端が前記装着部材に接続されていることが望ましい。このように装着部材を介して紐状体を栽培用プレートに接続していることから紐状体からの引っ張り力を分散させることができ、栽培用プレートが例えば発砲性樹脂等の脆弱な材質からなるものであっても、破損を防止することができる。また装着部材が栽培用プレートの先端側縁部に着脱可能であることから、栽培用プレートは全て共通のものを使用することができる。さらに、紐状体は栽培用プレートから取り外してメンテナンス及び収納ができることから、取り扱い性に優れる。
【０００９】
前記列状に配置された複数の栽培用プレートからなる栽培用プレート列を、当該列方向と直交する幅方向に２列以上有し、前記装着部材が、前記幅方向に並ぶ２以上の栽培用プレートに跨る長さを有し、前記２列以上の栽培用プレート列における列方向の先端側に位置する栽培用プレートの先端側縁部に装着されるものであることが望ましい。これならば、幅方向に２列以上に配置された栽培用プレート列を一度に引き寄せることができるので、作業性を向上させることができる。
【００１０】
紐状体を基端側に引っ張る力は先端側の栽培用プレートに作用して、当該栽培用プレートが列方向の複数の栽培用プレートを順次基端側へ押圧することによって全体が基端側に移動することになる。しかしながら、各栽培用プレートには移動に対する抵抗が働くことから、隣り合う栽培用プレートの連接縁部が互いに上方向に持ち上がりスムーズに移動できない恐れがある。この問題を解決するためには、前記紐状体が、列方向に隣り合う２枚の栽培用プレートの連接縁部の浮き上がりを防止する押さえ部を有することが望ましい。これならば、押さえ部によって隣り合う栽培用プレートの連接縁部の持ち上がりが防止されるので、列方向の栽培用プレートの姿勢が崩れることを防止して、紐状体の操作により基端側へのスムーズな移動が確保できる。なお、押さえ部を設ける位置は、先端側から複数枚（２〜５枚）目の連接縁部に設けることが望ましく、必要に応じて複数個所に押さえ部を設けることが好ましい。
【００１１】
押さえ部の簡単な構成の具体例としては、前記紐状体が、前記複数の栽培用プレートの裏面側に配置されており、前記押さえ部が、前記隣り合う２枚の栽培用プレートの連接縁部表面側に跨るように設けられたブリッジ体に、前記隣り合う２枚の栽培用プレートの連接縁部において前記紐状体を装着することにより構成されていることが望ましい。ここで紐状体をブリッジ体に装着することには、紐状体をブリッジ体に直接接続すること、紐状体をブリッジ体に掛け回すこと、紐状体をブリッジ体に別部材を介して接続すること等が含まれる。
【００１２】
複数の栽培用プレートを正確かつ確実に列状に配置させるためには、前記複数の栽培用プレートが、列方向に延びるレール部材上に載置されていることが望ましい。
【００１３】
植物栽培装置の構成を簡単にするためには、前記複数の栽培用プレートが、養液に浮いて支持されていることが望ましい。
【００１４】
また本発明に係る植物収穫方法としては、植物を保持する概略矩形板状の複数の栽培用プレートを列状に配置し、これによって栽培した植物を収穫する植物収穫方法であって、列方向の先端側に位置する栽培用プレートに一端を固定して、前記列方向に沿って基端側に紐状体が延ばされており、前記紐状体を基端側に引き寄せることにより、前記複数の栽培用プレートを前記列方向に沿って基端側に移動させることを特徴とする。
【００１５】
また本発明に係る植物栽培方法は、植物を保持する概略矩形板状の複数の栽培用プレートを列状に配置して植物を栽培する植物栽培方法であって、植物定植工程において、１つの栽培用プレートに紐状体の一端を接続するとともに、当該栽培用プレートを先端側に押し出して次々と複数の栽培用プレートを列状に配置するとともに、植物収穫工程において、基端側の栽培用プレートを取り外して前記紐状体を基端側に引き寄せる作業を繰り返すことを特徴とする。
【発明の効果】
【００１６】
このような構成の本発明によれば、列状に配置した栽培用プレートの取り外し作業及び植物の収穫作業の作業性を向上させることができる。
【図面の簡単な説明】
【００１７】
【図１】本発明の一実施形態に係る植物栽培装置の構成を模式的に示す正面図。
【図２】同実施形態の植物栽培装置の構成を模式的に示す側面図。
【図３】同実施形態の栽培用プレートを示す平面図及びＡ−Ａ線断面図。
【図４】同実施形態の栽培棚の詳細な構成を示す平面図及び側面図。
【図５】同実施形態の栽培棚の構成を模式的に示す断面図。
【図６】同実施形態の栽培用プレート設置工程を示す模式図。
【図７】同実施形態の栽培用プレート取り外し工程を示す模式図。
【図８】複数群に分けられた栽培用プレート及び紐状体を示す模式図。
【図９】変形実施形態のずれ防止機構を示す模式図。
【図１０】変形実施形態の養液貯留容器を示す断面図。
【図１１】変形実施形態の養液貯留容器を示す断面図。
【発明を実施するための形態】
【００１８】
以下に本発明の一実施形態について図面を参照して説明する。
【００１９】
本実施形態に係る植物栽培装置１００は、図１及び図２に示すように、栽培すべき植物を保持する単一形状をなす複数の栽培用プレート２と、当該複数の栽培用プレート２が設置される複数の栽培棚３とを有する。また、各栽培棚３には、植物に養液を供給するための養液供給機構４が設けられている。
【００２０】
栽培用プレート２は、図３に示すように、平面視概略矩形板状をなすものであり、その一方の対をなす側辺部２ａ、２ｂ（長手側辺部）には植物の茎部分が挿入されて、当該植物をプレート２に固定するためのスリット部２１が形成されている。このスリット部２１は、各長手側辺部２ａ、２ｂに複数個形成されており、両長手側辺部２ａ、２ｂに設けられたスリット部２１が長手方向において互いに異なる位置に形成されている。なお、両長手側辺部２ａ、２ｂに設けられたスリット部２１が長手方向において互いに同じ位置に形成されたものであっても良い。また、各長手側辺部２ａ、２ｂに設けるスリット部２１の長さを異ならせるようにしても良い。
【００２１】
この栽培用プレート２は、栽培棚３上に設けられた養液供給機構４の養液貯留容器４１上に配置されるものであり、具体的には、長手方向両端部２ｃ、２ｄ（短手側辺部）が互いに接触するように一列に配置される。また栽培用プレート２の裏面には、後述するレール部材４１Ｒに係合し、スライド移動するための凹部２２が形成されている。
【００２２】
栽培棚３は、図２及び図４に示すように、上下方向に多段に形成されており、各栽培棚３は略水平方向に延び設けられた概略長尺状をなすものである。この栽培棚３は、鉛直方向の立設された支柱６により支持されている。そして、この栽培棚３の上面に養液供給機構４が設けられるとともに、下面には、当該栽培棚の下側の栽培棚に光を照射するための光源５が設けられている（図２参照）。
【００２３】
養液供給機構４は、栽培棚３上に設置されて養液を貯留する養液貯留容器４１と、この養液貯留容器４１に養液を供給又は循環させる養液供給部４２とを有する。なお、養液供給部４２は、養液タンク４２１と、当該養液タンク４２１内の養液を流通させる養液配管４２２と、当該養液配管４２２内に養液を送液するポンプ（不図示）とを有する。養液配管４２２は、養液タンク４２１と養液貯留容器４１に接続されている。
【００２４】
養液貯留容器４１は、図４及び図５に示すように、前記栽培棚３と同様に長手方向に沿って設けられており、栽培棚３と略同一形状をなす概略長尺状の上部開口を有するものである。そして、この養液貯留容器４１の上部開口を形成する一対の長手方向縁部４１ａ、４１ｂがレール部材４１Ｒを構成する。このレール部材４１Ｒが前記栽培用プレート２の裏面に形成された凹部２２に係合する。なお本実施形態では、さらに養液貯留容器４１の中央部に栽培用プレート２の中央部に接触して栽培用プレート２の湾曲又は折れ曲がりを防止する支持部４１１が形成されている。本実施形態では、この支持部４１１上面に形成された凹部内に紐状体７が配置される。
【００２５】
そして、この植物栽培装置１００では、長手方向に沿って一列に配置された複数の栽培用プレート２の列方向（長手方向）の最先端側（図４において左側）に位置する栽培用プレート２に紐状体７が接続されている。
【００２６】
この紐状体７は、図４に示すように、一端が最先端の栽培用プレート２に接続されるとともに、列方向に沿って基端側に延び設けられている。紐状体２としては、例えばロープ、ワイヤー又はテグス等を用いている。
【００２７】
紐状体７は、最先端の栽培用プレート２の先端側縁部２ｃに着脱可能に接続されており、列方向に沿って複数の栽培用プレート２の裏面側、つまり養液貯留容器４１内を通って、列方向の基端側まで延び設けられている。
【００２８】
そして本実施形態では、紐状体７を最先端の栽培用プレート２に接続するに際して装着部材８を介在させて接続している。具体的に紐状体７は、最先端の栽培用プレート２の先端側縁部２ｃに着脱可能に装着される装着部材８に固定されている。
【００２９】
装着部材８は、図４に示すように、栽培用プレート２の短手側辺部２ｃと同等の長さ又はそれもよりも若干短い長さを有し、その長さ方向断面が概略コの字形状又は部分円弧形状をなすものである。そして、この装着部材８が栽培用プレート２の先端側縁部２ｃに装着される。
【００３０】
そして、装着部材８が栽培用プレート２に装着された状態で、栽培用プレート２の先端側縁部２ｃに形成された凹部２３の底部が表裏貫通する開口部を形成する。この開口部を通るように前記紐状体７が装着部材８に接続されている。本実施形態では、紐状体７の一端を、前記装着部材８が挿入される輪形状に形成された接続部７１としている。そして、この輪形状をなす接続部７１に装着部材８を挿入した後に、当該装着部材８を先端側縁部２ｃに装着することにより、紐状体７が最先端の栽培用プレート２に接続される。なお、紐状体７に輪形状をなす接続部７１を設けることの他、紐状体を装着部材に結び付ける等の種々の接続態様をとることができる。また装着部材８と紐状体７を一体とすることも考えられる。
【００３１】
このように、装着部材８を介して紐状体７を栽培用プレート２に固定していることから紐状体７からの引っ張り力が分散して栽培用プレート２に加わることになり、たとえ栽培用プレート２が発砲性樹脂等の脆弱な材質からなるものであっても、破損を防止することができる。また、装着部材８が栽培用プレート２の先端側縁部２ｃに着脱可能であることから、栽培用プレート２は全て共通のものを使用することができる。さらに、装着部材８により紐状体７が栽培用プレート２に対して着脱可能であることから、栽培用プレート２及び紐状体７の収納を容易にし、それらの洗浄作業等のメンテナンスも簡単にすることができる。
【００３２】
そして、紐状体７には、図４に示すように、列方向に隣り合う２枚の栽培用プレート２の連接縁部２ｃ、２ｄの浮き上がりを防止する押さえ部９が設けてある。
【００３３】
この押さえ部９は、隣り合う２枚の栽培用プレート２の連接縁部２ｃ、２ｄの表面側に跨るように設けられたブリッジ体９１に、隣り合う２枚の栽培用プレート２の連接縁部２ｃ、２ｄにおいて紐状体７を接続することにより構成されている。具体的には、概略棒形状をなすブリッジ体９１を隣り合う２枚の栽培用プレート２の連接縁部２ｃ、２ｄと略直交する又は傾斜させて配置して、このブリッジ体９１に紐状体７を連接縁部２ｃ、２ｄに形成された凹部２３を介して紐状体７を表面側に通し、この紐状体７の下側を通るようにブリッジ体９１を配置することにより形成されている。このように構成することで、紐状体７を引っ張ることにより、この引っ張り力がブリッジ体９１に上から下に加わる押さえ力となり、連接縁部２ｃ、２ｄが下側に押されて持ち上がることが防止される。したがって、列方向の栽培用プレート２の姿勢が崩れることを防止して、紐状体７の操作により基端側へのスムーズな移動が確保できる。なお、ブリッジ体９１の形状としては、棒形状をなすものの他、十字形状、Ｙ字形状、Ｔ字形状又はＨ字形状等の交差形状をなすもの等、隣接する栽培用プレートの両方に係合するものであればよい。
【００３４】
特に、最先端の栽培用プレート２に紐状体７を接続して基端側に引き寄せた場合、最先端の栽培用プレート２から２枚目〜５枚目の栽培用プレート２の連接縁部が持ち上がってしまう傾向があることから、本実施形態では、最先端の栽培用プレート２から複数枚目（２枚から５枚目）の連接縁部２ｃ、２ｄに押さえ部９を設けている。その他、押さえ部９は、複数の栽培用プレート２の各連接縁部２ｃ、２ｄ毎に設けても良いし、間欠的に設けても良い。
【００３５】
次にこのように構成した植物栽培装置１００を用いた植物栽培方法について図６及び図７を参照して説明する。具体的には植物定植工程（栽培用プレート設置工程）と植物収穫工程（栽培用プレート取り外し工程）とについて説明する。
【００３６】
植物定植工程は、植物を取り付けた栽培用プレート２を栽培棚３、具体的には養液貯留容器４１に設置して、植物を植物栽培装置１００に定植する工程である。具体的にこの工程においては、図６に示すように、まず１つの栽培用プレート２の先端側縁部２ｃに装着部材８を介して紐状体７の一端を接続する。そして、その栽培用プレート２を養液貯留容器４１の所定位置（具体的には養液貯留容器４１の基端側）に載置する（図６の（Ａ））。次に、別の栽培用プレート２を先に載置した栽培用プレート２を先端側に押し出しながら養液貯留容器４１の基端側に載置する（図６の（Ｂ））。このように次々に栽培用プレート２を載置していき、先端側の栽培用プレート２が行き止まるまで複数の栽培用プレート２を載置する（図６の（Ｃ）〜（Ｅ））。なお、栽培用プレート２を載置する際に、紐状体７は各栽培用プレート２の下側に位置するようにし、さらに紐状体７の基端部が養液貯留容器４１の基端側に位置するようにする。これにより複数の栽培用プレート２が養液貯留容器４１上に列状に配置される。また、栽培用プレート２を順次載置していく段階で、最先端の栽培用プレート２から所定枚目（図６においては２枚目と３枚目の間、具体的には、２枚目の連接縁部２ｄと３枚目の連接縁部２ｃ）には、押さえ部９を設けるようにしている（図６の（Ｄ））。
【００３７】
列状に配置した後に、養液供給機構４及び光源５を用いて栽培用プレート２の植物を栽培する。
【００３８】
そして植物が成長した後に、植物収穫工程を行う。この植物収穫工程は、成長した栽培用プレート２を栽培棚３、具体的には養液貯留容器４１から取り外して植物を収穫する工程である。具体的にこの工程においては、図７に示すように、まず最基端側にある栽培用プレート２を取り外す（図７の（Ａ））。そして、基端側にある紐状体７を基端側に引き寄せることにより（図７の（Ｂ））、養液貯留容器４１上の残りの栽培用プレート２を基端側に移動させる（図７の（Ｃ））。次に、最基端側にある栽培用プレート２を取り外して紐状体７を基端側に引き寄せる（図７の（Ｄ）、（Ｅ））。このように最基端側にある栽培用プレート２を取り外し、紐状体７を引き寄せて栽培用プレート２を移動させるという作業を繰り返すことにより全ての栽培用プレート２を取り外す。
【００３９】
このように構成した本実施形態に係る植物栽培装置１００及び植物栽培方法によれば、基端側の作業者が、紐状体７を基端側に引き寄せることにより、栽培用プレート２を順次基端側へ移動させることができるため、栽培した植物を一箇所で回収することが可能となる。その結果、作業効率を向上させることができる。また、栽培用プレート２を上下複数段に配置した場合でも、高所作業を安全に実施することができる。さらに、複数列の栽培用プレート２を配置する場合には、各栽培用プレート２を直接操作するための作業スペースが必要になるが、本発明では基端側に引き寄せることから、前記作業スペースを不要にして各列を互いに密に並べることができ、限られた栽培用スペースを有効活用でき多量の植物を栽培することができる。その上、引き寄せる際に植物の根の移動により当該植物が水耕されている養液貯留容器４１の掃除もできる。
【００４０】
なお、本発明は前記実施形態に限られるものではない。例えば、栽培棚と養液供給機構（具体的には養液貯留容器）とを一体化して形成したものであっても良い。
【００４１】
また、前記実施形態の植物栽培装置は、上下多段の栽培棚を有し、各段で栽培用プレートを一列に配置するものであったが、各段に複数列の栽培用プレートを配置するものであっても良い。なお、１段の栽培棚を有するものであっても良い。
【００４２】
さらに、栽培用プレートをレール部材上にスライド可能に配置するほか、養液槽に貯留された養液の液面上に複数の栽培用プレートを浮かべるようにして列状に配置するものであっても良い。つまり、複数の栽培用プレートが養液に浮いて支持されていることより、複数の栽培用プレートを列方向に沿って基端側に移動可能に構成しても良い。
【００４３】
その上、前記実施形態では、紐状体を最先端の栽培用プレートに連結するものであったが、栽培用プレートの枚数が増えるにしたがって、滑り抵抗が大きくなることから基端側に引き寄せる力が大きくなり、作業性が悪くなることが考えられる。このため、図８に示すように、一列に配置された複数の栽培用プレート２を複数群（図８ではＡ群〜Ｄ群）に分けて、各群の先端側に位置する栽培用プレート２ａ〜２ｄ毎に個別に紐状体７ａ〜７ｄを接続するようにしても良い。これなれば、各紐状体７ａ〜７ｄにより基端側に位置する群から順に群毎に基端側に引き寄せることができ、栽培用プレート２を基端側に引き寄せる力が大きくなりすぎず、作業性を損なうことを防ぐことができる。
【００４４】
加えて、前記実施形態では１本の紐状体を最先端の栽培用プレートに接続しているのが、その他の栽培用プレートにも接続するように構成しても良い。
【００４５】
さらに加えて、複数の栽培用プレートを基端側に移動させる際に隣接する栽培用プレートが上下にずれることを防止するために、図９に示すように、ずれ防止機構Ｘを設けても良い。このずれ防止機構Ｘは、隣接する栽培用プレート２の連接縁部２ｃ、２ｄの一方に設けられた凹部Ｘ１と他方に設けられた凸部Ｘ２とからなり、凹部Ｘ１及び凸部Ｘ２が係合するによって、隣接する栽培用プレート２が上下にずれることを防止する。
【００４６】
また、図１０に示すように、養液貯留容器４１の一対の長手方向縁部４１ａ、４１ｂが、栽培用プレート２が載置される平面部４１２ａ、４１２ｂと当該平面部４１２ａ、４１２ｂの外側端部に設けられて載置された栽培用プレート２の外側に位置するガイド部４１３ａ、４１３ｂとを有するものであっても良い。これら平面部４１２ａ、４１２ｂ及びガイド部４１３ａ、４１３ｂによりレール部材４１Ｒが構成される。
【００４７】
さらにレール部材４１を平面部４１２ａ、４１２ｂ及びガイド部４１３ａ、４１３ｂにより構成した場合、図１１に示すように、押さえ部９を、ガイド部４１３ａ、４１３ｂの上部から内側に延出させることにより、栽培用プレート２の長手側辺部２ａ、２ｂの上部に位置して栽培用プレート２の連接縁部２ｃ、２ｄの浮き上がりを防止するように構成しても良い。
【００４８】
また、前記実施形態の植物栽培装置を用いた植物栽培方法では、定植から収穫までを行うものであったが、播種から育苗を行うものであっても良いし、播種から収穫までを行うものであっても良い。
【００４９】
その他、本発明は前記実施形態に限られず、その趣旨を逸脱しない範囲で種々の変形が可能であるのは言うまでもない。
【符号の説明】
【００５０】
１００    ・・・植物栽培装置
２        ・・・栽培用プレート
２ｃ、２ｄ・・・連接縁部
４１Ｒ    ・・・レール部材
７        ・・・紐状体
８        ・・・装着部材
９        ・・・押さえ部
９１      ・・・ブリッジ体
【図１】
0005838031.tif 000002
【図２】
0005838031.tif 000003
【図３】
0005838031.tif 000004
【図４】
0005838031.tif 000005
【図５】
0005838031.tif 000006
【図６】
0005838031.tif 000007
【図７】
0005838031.tif 000008
【図８】
0005838031.tif 000009
【図９】
0005838031.tif 000010
【図１０】
0005838031.tif 000011
【図１１】
0005838031.tif 000012